(57)【要約】【課題】同一周波数帯においてセルラベースの通信と非セルラ通信との共存を可能にする。【解決手段】ＦＤＤ方式によるセルラベースのセルラネットワークと、周囲の通信状況に応じて無線通信を実行する非セルラネットワークとが混在する無線環境において、ＬＴＥ基地局１０は、無線通信の相手方のＬＴＥ端末２０に対して所定の信号を送信する送信部と、送信部によって送信した信号に対する応答信号をＬＴＥ端末２０から受信する受信部とを備え、送信部は、受信部において応答信号を受信するまでの所定の期間の少なくとも一部の期間において、非セルラネットワークにおける無線通信の実行を一時停止させるためのトリガー信号を送信する。【選択図】図１
2016127409.tif 000002
【特許請求の範囲】
【請求項１】
セルラネットワークと、周囲の通信状況に応じて無線通信を実行する非セルラネットワークとが混在する無線環境において、前記セルラネットワークにおいて無線通信を実行する通信装置であって、
無線通信の相手方の通信装置に対して所定の信号を送信する送信部と、
前記送信部によって送信した信号に対する応答信号を前記相手方から受信する受信部と
を備え、
前記送信部は、前記受信部において応答信号を受信するまでの所定の期間の少なくとも一部の期間において、前記非セルラネットワークにおける無線通信の実行を一時停止させるためのトリガー信号を送信する
ことを特徴とする通信装置。
【請求項２】
前記セルラネットワークはＴＤＤ方式であり、
前記送信部は、前記受信部において応答信号を受信するまでの所定の期間のうち、ＴＤＤ方式により設定され、前記相手方の通信装置が送信できない期間であって、当該通信装置が前記相手方の通信装置に対して送信可能な少なくとも一部の期間において、前記非セルラネットワークにおける無線通信の実行を一時停止させるためのトリガー信号を送信する
ことを特徴とする請求項１に記載の通信装置。
【請求項３】
ＴＤＤ方式によるセルラベースのセルラネットワークと、周囲の通信状況に応じて無線通信を実行する非セルラネットワークとが混在する無線環境において、前記セルラネットワークにおいて無線通信を実行する通信装置であって、
無線通信の相手方の通信装置から所定の信号を受信する受信部と、
前記受信部によって受信した信号に対する応答信号を前記相手方の通信装置に送信する送信部と
を備え、
前記送信部は、前記受信部において所定の信号を受信してから前記応答信号を送信するまでの所定の期間のうち、ＴＤＤ方式により設定され、前記相手方の通信装置が送信できない期間であって、当該通信装置が前記相手方の通信装置に対して送信可能な少なくとも一部の期間において、前記非セルラネットワークにおける無線通信の実行を一時停止させるためのトリガー信号を送信する
ことを特徴とする通信装置。
【請求項４】
前記送信部は、トリガー信号としてダミーパケットを送信することを特徴とする請求項１から３のいずれか１項に記載の通信装置。
【請求項５】
前記送信部は、トリガー信号として無変調波を送信することを特徴とする請求項１から３のいずれか１項に記載の通信装置。
【請求項６】
前記送信部は、受信部において応答信号を受信するまでの期間の少なくとも一部において、前記所定の信号を繰り返し送信することを特徴とする請求項１または２に記載の通信装置。
【請求項７】
前記送信部は、応答信号を送信するまでの期間の少なくとも一部において、前記所定の信号を繰り返し送信することを特徴とする請求項３に記載の通信装置。
【請求項８】
前記送信部は、前記相手方の通信装置以外の少なくとも１以上の通信装置に向けて、トリガー信号を送信することを特徴とする請求項１から３のいずれかに記載の通信装置。
【請求項９】
セルラベースのセルラネットワークと、周囲の通信状況に応じて無線通信を実行する非セルラネットワークとが混在する無線環境において、前記セルラネットワークにおいて無線通信を実行する複数の通信装置を含む通信システムに用いられる通信方法であって、
送信側の通信装置において、
無線通信の相手方の通信装置に対して所定の信号を送信する送信ステップと、
前記送信ステップによって送信した信号に対する応答信号を前記相手方の通信装置から受信する受信ステップと
を有し、
受信側の通信装置において、
無線通信の送信側の通信装置から所定の信号を受信する受信ステップと、
前記受信ステップによって受信した信号に対する応答信号を前記送信側の通信装置に送信する送信ステップと
を有し、
前記送信側の通信装置の送信ステップは、前記送信側の受信ステップにおいて応答信号を受信するまでの所定の期間の少なくとも一部の期間において、前記非セルラネットワークにおける無線通信の実行を一時停止させるためのトリガー信号を送信する
ことを特徴とする通信方法。
【請求項１０】
セルラベースのセルラネットワークと、周囲の通信状況に応じて無線通信を実行する非セルラネットワークとが混在する無線環境において、前記セルラネットワークにおいて無線通信を実行する複数の通信装置を含む通信システムであって、
送信側の通信装置は、
無線通信の相手方の通信装置に対して所定の信号を送信する送信部と、
前記送信ステップによって送信した信号に対する応答信号を前記相手方の通信装置から受信する受信部と
を備え、
受信側の通信装置は、
無線通信の送信側の通信装置から所定の信号を受信する受信部と、
前記受信部によって受信した信号に対する応答信号を前記送信側の通信装置に送信する送信部と
を備え、
前記送信側の通信装置の送信部は、前記送信側の受信部において応答信号を受信するまでの所定の期間の少なくとも一部の期間において、前記非セルラネットワークにおける無線通信の実行を一時停止させるためのトリガー信号を送信する
ことを特徴とする通信システム。
【発明の詳細な説明】
【技術分野】
【０００１】
本発明は、たとえば、無線通信を行うための通信装置、通信方法および通信システムに関する。
【背景技術】
【０００２】
近年、３ＧＰＰ（３ｒｄ  Ｇｅｎｅｒａｔｉｏｎ  Ｐａｒｔｎｅｒｓｈｉｐ  Ｐｒｏｊｅｃｔ）では、次世代移動通信システムの仕様検討の一環として、ＬＡＡ（Ｌｉｃｅｎｓｅｄ−Ａｓｓｉｓｔｅｄ  Ａｃｃｅｓｓ）についての議論がなされている（たとえば、非特許文献１を参照。）。ＬＡＡは、非ＬＴＥ通信で使われているアンライセンス周波数帯（Ｕｎｌｉｃｅｎｓｅｄ  ｂａｎｄ）においてＬＴＥ通信を実施する場合に、両通信の効果を最大化するための技術であり、３ＧＰＰ  Ｒｅｌｅａｓｅ  １３（２０１４年１０月から仕様検討開始）における標準化対象技術の１つである。
【先行技術文献】
【非特許文献】
【０００３】
【非特許文献１】３ＧＰＰ  ＲＰ−１４１６６４  “Study on Licensed-Assisted Access using LTE”  ２０１４年９月
【発明の概要】
【発明が解決しようとする課題】
【０００４】
しかしながら、セルラー通信の一種であるＬＴＥ通信と非ＬＴＥ通信とが同一周波数帯において実施されるシステムを想定する場合、通信方式の異なるシステムを共存させるための仕組みが必要となる。
【０００５】
本発明はかかる課題に鑑みてなされたものであり、その目的は、同一周波数帯においてセルラベースの通信と非セルラ通信との共存を可能にする通信装置、通信方法および通信システムを提供することにある。
【課題を解決するための手段】
【０００６】
本発明のある態様は、通信装置に関する。この通信装置は、セルラベースのセルラネットワークと、周囲で通信が行われている場合は通信を実行せず、周囲で通信が行われていない場合は通信を実行する非セルラネットワークとが混在する無線環境において、前記セルラネットワークにおいて無線通信を実行する通信装置であって、無線通信の相手方の通信装置に対して所定の信号を送信する送信部と、送信部によって送信した信号に対する応答信号を相手方から受信する受信部とを備える。送信部は、受信部において応答信号を受信するまでの所定の期間の少なくとも一部の期間において、非セルラネットワークにおける無線通信の実行を一時停止させるためのトリガー信号を送信する。
【０００７】
このような態様によると、セルラ通信における応答信号と非セルラ信号との衝突を回避することができるため、応答信号を正確に受信することが可能になる。したがって、同一周波数帯においてセルラベースの通信と非セルラ通信とを共存させることが可能になる。なお、セルラベースのセルラネットワークとは、３ｇｐｐで規定されているＬＴＥやＣＤＭＡを用いたネットワークであってもよいし、cdma2000やＧＳＭ（登録商標）あるいはこれらの拡張された方式であってもよい。
【０００８】
セルラネットワークはＴＤＤ方式である場合、送信部は、受信部において応答信号を受信するまでの所定の期間のうち、ＴＤＤ方式により設定され、相手方の通信装置が送信できない期間であって、当該通信装置が相手方の通信装置に対して送信可能な少なくとも一部の期間において、非セルラネットワークにおける無線通信の実行を一時停止させるためのトリガー信号を送信してもよい。
【０００９】
このような態様によると、ＴＤＤ方式のように上り通信と下り通信とで通信期間が限定されているような場合であっても、適切にトリガー信号を送信することができ、確実に応答信号を受信することができるようになり、もって、同一周波数帯においてセルラベースの通信と非セルラ通信とを共存させることが可能になる。
【００１０】
また、本発明の他の態様は、通信装置である。この通信装置は、ＴＤＤ方式によるセルラベースのセルラネットワークと、周囲の通信状況に応じて無線通信を実行する非セルラネットワークとが混在する無線環境において、セルラネットワークにおいて無線通信を実行する通信装置であって、無線通信の相手方の通信装置から所定の信号を受信する受信部と、受信部によって受信した信号に対する応答信号を相手方の通信装置に送信する送信部とを備える。送信部は、受信部において所定の信号を受信してから応答信号を送信するまでの所定の期間のうち、ＴＤＤ方式により設定され、相手方の通信装置が送信できない期間であって、当該通信装置が相手方の通信装置に対して送信可能な少なくとも一部の期間において、非セルラネットワークにおける無線通信の実行を一時停止させるためのトリガー信号を送信する。
【００１１】
このような態様によると、ＴＤＤ方式のように上り通信と下り通信とで通信期間が限定されているような場合であっても、適切にトリガー信号を送信することができるため、確実に応答信号を送信することができ、もって、同一周波数帯においてセルラベースの通信と非セルラ通信とを共存させることが可能になる。
【００１２】
送信部は、トリガー信号としてダミーパケットを送信してもよい。また、送信部は、トリガー信号として無変調波を送信してもよい。また、送信部は、受信部において応答信号を受信するまでの期間の少なくとも一部において、所定の信号を繰り返し送信してもよい。また、送信部は、応答信号を送信するまでの期間の少なくとも一部において、所定の信号を繰り返し送信してもよい。また、送信部は、相手方の通信装置以外の少なくとも１以上の通信装置に向けて、トリガー信号を送信してもよい。このような態様によると、効率的にトリガー信号を送信することができ、同一周波数帯においてセルラベースの通信と非セルラ通信とを共存させることが容易となる。
【００１３】
また、本発明の他の態様は、通信方法である。この通信方法は、セルラベースのセルラネットワークと、周囲の通信状況に応じて無線通信を実行する非セルラネットワークとが混在する無線環境において、セルラネットワークにおいて無線通信を実行する複数の通信装置を含む通信システムに用いられる通信方法であって、送信側の通信装置において、無線通信の相手方の通信装置に対して所定の信号を送信する送信ステップと、送信ステップによって送信した信号に対する応答信号を相手方の通信装置から受信する受信ステップとを有し、受信側の通信装置において、無線通信の送信側の通信装置から所定の信号を受信する受信ステップと、受信ステップによって受信した信号に対する応答信号を送信側の通信装置に送信する送信ステップとを有し、送信側の通信装置の送信ステップは、送信側の受信ステップにおいて応答信号を受信するまでの所定の期間の少なくとも一部の期間において、非セルラネットワークにおける無線通信の実行を一時停止させるためのトリガー信号を送信する。
【００１４】
また、本発明の他の態様は、通信システムである。この通信システムは、セルラベースのセルラネットワークと、周囲の通信状況に応じて無線通信を実行する非セルラネットワークとが混在する無線環境において、セルラネットワークにおいて無線通信を実行する複数の通信装置を含む通信システムであって、送信側の通信装置は、無線通信の相手方の通信装置に対して所定の信号を送信する送信部と、送信ステップによって送信した信号に対する応答信号を相手方の通信装置から受信する受信部とを備え、受信側の通信装置は、無線通信の送信側の通信装置から所定の信号を受信する受信部と、受信部によって受信した信号に対する応答信号を送信側の通信装置に送信する送信部とを備え、送信側の通信装置の送信部は、送信側の受信部において応答信号を受信するまでの所定の期間の少なくとも一部の期間において、非セルラネットワークにおける無線通信の実行を一時停止させるためのトリガー信号を送信する。
【００１５】
なお、以上の構成要素の任意の組み合わせ、本発明の表現を方法、装置、システム、コンピュータプログラムなどの間で変換したものもまた、本発明の態様として有効である。
【発明の効果】
【００１６】
本発明によれば、同一周波数帯においてセルラベースの通信と非セルラ通信との共存を可能にする通信装置、通信方法および通信システムを提供できる。
【図面の簡単な説明】
【００１７】
【図１】本発明の一実施形態にかかる無線通信システムの構成例を示す図である。
【図２】図１のＬＴＥ基地局の構成例を示す図である。
【図３】図１のＬＴＥ端末の構成例を示す図である。
【図４】実施例１にかかる無線通信システムの動作例を示す図である。
【図５】ＴＤＤシステムにおけるＬＴＥのサブフレームの構成例を示す図である。
【図６】実施例２にかかる無線通信システムの動作例を示す図である。
【図７】ＬＴＥにおけるデータ送受信と応答信号送受信のタイミングの一例を示す図である。
【図８】ＬＴＥ通信と非ＬＴＥ通信とが共存した場合の課題を示す図である。
【発明を実施するための形態】
【００１８】
（本発明の概要）
本発明の実施例を説明する前に、まず、本発明の概要を述べる。本発明は、たとえば、アンライセンス周波数帯を利用してセルラー通信の一種であるＬＴＥベースの無線通信を行うシステムにおいて、ＬＴＥ基地局またはＬＴＥ端末として動作する通信装置を提供する。本発明にかかる通信装置は、ＬＴＥベースのＬＴＥネットワークと、周囲の通信状況に応じて無線通信を実行する非ＬＴＥネットワークとが混在する無線環境において、上記ＬＴＥネットワークにおいて無線通信を実行する通信装置であって、無線通信の相手方の通信装置に対して所定の信号を送信する送信部と、上記送信部によって送信した信号に対する応答信号を上記相手方から受信する受信部とを備え、上記送信部は、上記受信部において応答信号を受信するまでの所定の期間の少なくとも一部の期間において、上記非ＬＴＥネットワークにおける無線通信の実行を一時停止させるためのトリガー信号を送信する。
【００１９】
従来のＬＴＥ通信においては、上りのデータを受信したＬＴＥ基地局または下りリンクのデータを受信したＬＴＥ端末は、受信をしてから一定時間経過後に、応答信号として、受信の成功または失敗を通知するためのＡＣＫ／ＮＡＣＫ信号を相手方に対して送信する。ＬＴＥ基地局および端末は、相手方からの応答信号の送受信タイミングを把握しているため、当該タイミングで応答信号を受信し復調することで、相手方においてデータが問題なく受信されたか否かを判定することができ、この結果をもちいて再送制御を行うこととなる。例えば、図７に示すように、下りリンクのデータ送信においては、端末は、下りリンクのデータを受信したサブフレームの４サブフレーム後に応答信号を送信することになっている。
【００２０】
一方、ＬＴＥ通信と非ＬＴＥ通信が同一周波数帯において実施されるシステムを想定する場合、このようなシステムにおいては、Ｌｉｓｔｅｎ  Ｂｅｆｏｒｅ  Ｔａｌｋ（ＬＢＴ）方式と呼ばれる技術が適用される可能性がある。ここで、ＬＢＴ方式とは、Ｗｉｒｅｌｅｓｓ  ＬＡＮ（以下、ＷＬＡＮ）通信等で採用されている技術であり、周囲で通信が行われている場合は通信を実行せず、周囲で通信が行われていない場合は通信を実行する。具体的には、データ送信をする前に、周囲で通信が行われているかを確認、スキャン、あるいは、キャリアセンスなどを実行し、周囲で通信が行われていると判断できる場合には、データ送信を行わない方式を指す。
【００２１】
ここで、例えばＬＴＥの下りリンク通信を想定した場合、図８に示すように、非ＬＴＥ通信が行われているタイミングにおいては、ＬＢＴ方式により、ＬＴＥの応答信号の送受信ができないため、ＬＴＥ基地局は非ＬＴＥ信号を応答信号と誤認識して復調してしまう結果、再送制御の妨げとなる。なお、この事象は、上りリンク通信における再送制御においても同様に発生する。
【００２２】
本発明は、以上の課題を解決しており、ＬＴＥ基地局または端末のデータ送信から応答信号の送受信までの所定の期間においてＬＴＥ基地局または端末がトリガー信号を送信することにより、周囲で非ＬＴＥ通信を行う基地局または端末はＬＢＴ方式に従って通信の実行を自主的に一時停止するため、ＬＴＥ基地局または端末の所望のタイミングで、適切な応答信号を受信することが可能になる。
【００２３】
（無線通信システムの構成例）
図１は、本発明の一実施形態にかかる無線通信システム１００の構成例を示す図である。無線通信システム１００は、ＬＴＥ基地局１０と、ＬＴＥ端末２０と、非ＬＴＥ基地局３０と、非ＬＴＥ端末４０とを含む。無線通信システム１００は、ＬＴＥ基地局１０が形成するＬＴＥ通信のセルエリアと非ＬＴＥ基地局３０が形成する非ＬＴＥ通信のセルエリアとが重複して配置され、双方の重複したエリアにＬＴＥ端末２０と非ＬＴＥ端末４０とが位置していることを想定したものであるが、これ以外の態様であっても本発明を適用できることは言うまでもない。
【００２４】
ここで、ＬＴＥ基地局１０は、非ＬＴＥ基地局３０が使用するアンライセンス周波数帯を利用してＬＴＥベースの無線通信を実施する。なお、アンライセンス周波数帯とは、ライセンス不要な周波数帯であり、また、所定のライセンスが必要な無線通信方式以外の無線通信方式を実施する場合には所定の電力以上の通信が制限されうることを指す。ここでは、ＬＴＥ通信がアンライセンス周波数帯においてなされ、それゆえに、ＬＴＥ通信以外の無線通信方式を用いた通信との混信、干渉が発生しうる状況にあることを想定している。また、本明細書において、ＬＴＥ通信とは、ＬＴＥまたはＬＴＥ−Ａｄｖａｎｃｅｄあるいはそれらにもとづいて規定される後継の無線通信方式を含み、非ＬＴＥ通信とは、ＷＬＡＮなどの無線通信方式を含む。
【００２５】
本形態においては、ＬＴＥ端末２０は、ＬＴＥ基地局１０の配下にあり、ＬＴＥ基地局１０との間でＬＴＥ通信を実施可能な状態にある。一方、非ＬＴＥ基地局３０と非ＬＴＥ端末４０との間では、ＬＢＴ方式を用いながら、非ＬＴＥ通信を実施することができる。また、ＬＴＥ端末２０は、非ＬＴＥ基地局３０が形成する非ＬＴＥ通信のセルエリアに存在し、非ＬＴＥ基地局３０または非ＬＴＥ端末４０が送信する非ＬＴＥ信号の影響を受ける状態にある。また、ＬＴＥ基地局１０、ＬＴＥ端末２０、非ＬＴＥ基地局３０、非ＬＴＥ端末４０は、互いにフレーム同期が取れている状態であってもよい。同期の方法は、上位レイヤにおいてネゴシエートされていてもよいし、互いに同期情報を通信あるいは報知することによりなされていてもよく、あるいは、たとえば、ＬＴＥ装置に搭載された非ＬＴＥの通信方式を実行可能な機能ブロックにより同期情報を取得し、当該ＬＴＥ通信を実行するための制御ブロックにその同期情報を内部バスを介して渡すことで、自己完結にて同期させてもよい。また、ＬＴＥ端末２０は、当該１台の端末をもって、システム帯域のすべてを使用していてもよい。
【００２６】
このため、ＬＴＥ基地局１０からＬＴＥ端末２０への下りリンクのＬＴＥ通信を想定した場合、非ＬＴＥ通信が行われているタイミングにおいては、ＬＴＥ端末２０は、非ＬＴＥ通信により自己のＬＴＥ通信が干渉を受ける。また、ＬＴＥ端末２０がＬＢＴ方式を実施可能な場合、非ＬＴＥ通信の存在を検知することにより、ＬＴＥ基地局１０からのデータ送信に対する応答信号を送信できないこととなる。そこで、本実施形態では、ＬＴＥ基地局１０は、ＬＴＥ端末２０からの応答信号を受信するまでの所定の期間の少なくとも一部の期間に非ＬＴＥネットワークにおける無線通信の実行を一時停止させるためのトリガー信号を送信するようにする。これは、上りリンクのＬＴＥ通信においても同様に適用できる。
【００２７】
（ＬＴＥ基地局の構成例）
図２は、図１のＬＴＥ基地局１０の構成例を示す図である。ＬＴＥ基地局１０は、通信部１２と、制御部１４と、記憶部１６とを含む。
【００２８】
通信部１２は、記憶部１６に記憶された情報を制御部１４が使用しながら、自局の通信エリアに属する端末との間で、ＬＴＥベースの無線通信を実行する。下りリンクの通信の場合は、通信部１２は、無線通信の相手方の端末に対して所定の信号を送信し、送信した信号に対する応答信号を相手方の端末から受信する。このとき、通信部１２は、応答信号を受信するまでの所定の期間の少なくとも一部の期間において、非ＬＴＥネットワークにおける無線通信の実行を一時停止させるためのトリガー信号を送信する。
【００２９】
上りリンクの通信の場合は、通信部１２は、無線通信の相手方の端末から所定の信号を受信し、一定期間経過後にデータ送信に対する応答信号を相手方の端末に送信する。また、通信部１２は、応答信号を送信するまでの期間のいずれかにおいて、トリガー信号を送信してもよい。
【００３０】
なお、通信部１２は、図示しない送信部と受信部を備えてもよく、送信部は送信に関する処理を事項し、受信部は受信に関する処理を実行してもよい。
【００３１】
また、通信部１２は、ＴＤＤ方式により通信を実行してもよい。下りリンクの場合、送信部は、受信部において応答信号を受信するまでの所定の期間のうち、ＴＤＤ方式により設定され、相手方の通信装置が送信できない期間であって、当該通信装置が相手方の通信装置に対して送信可能な少なくとも一部の期間において、非ＬＴＥネットワークにおける無線通信の実行を一時停止させるためのトリガー信号を送信する。なお、「ＴＤＤ方式により設定され、相手方の通信装置が送信できない期間であって、当該通信装置が相手方の通信装置に対して送信可能な少なくとも一部の期間」については、後述の実施例２において、図面を用いて具体的に説明する。
【００３２】
上りリンクの場合、受信部は、無線通信の相手方の端末から所定の信号を受信し、一定期間経過後にデータ送信に対する応答信号を相手方の端末に送信する。また、送信部は、応答信号を送信するまでの期間のいずれかにおいて、トリガー信号を送信してもよい。
【００３３】
なお、上記トリガー信号として、通信部１２は、ダミーパケットや無変調波を送信することができる。その他にも、トリガー信号として、相手方の端末宛に送信した信号を繰り返し送信してもよいし、相手方の端末宛に送信した信号とは異なるデータを含む信号を送信してもよい。また、相手方の端末以外の少なくとも１以上の端末宛の信号をトリガー信号として送信するようにしてもよい。
【００３４】
なお、下りリンク、上りリンク、ＦＤＤ、ＴＤＤの別によらず、通信部１２は、相手方の通信装置から受信したトリガー信号については無視してもよい。受信したトリガー信号が、すでに送信された信号の繰り返しである場合、その繰り返しを利用して受信エネルギーを増大させるための合成処理を行い、より高精度の復調処理を行ってもよい。
【００３５】
制御部１４は、端末から送られてくる無線リソースの割当要求に応じて、無線リソースを割り当て、割り当てた無線リソースに関する情報を含む制御メッセージを、要求元の端末に対して送信する。また、制御部１４は、通信部１２で送信する信号の送信電力や送信方向を制御することができる。
【００３６】
また、制御部１４は、ＬＴＥ端末２０との間あるいはネットワーク全体において、ＬＴＥ基地局１０とＬＴＥ端末２０のどちらがトリガー信号を送信すべきかをネゴシエートし、その結果に応じて、通信部１２に対してトリガー信号の送信処理を制御してもよい。また、制御部１４は、トリガー信号の電力を制御してもよい。たとえば、非ＬＴＥ基地局３０と非ＬＴＥ端末４０がＬＢＴ方式を実施すべき上で検知可能な程度にトリガー信号の電力を制限してもよい。トリガー信号の電力を制限することにより、システム全体の干渉量を低減し、システム容量を増大することができる。また、制御部１４は、トリガー信号の送信タイミングを制御してもよい。たとえば、応答信号を受信するもしくは送信するタイミングのＮ個（Ｎは１以上Ｍ以下。Ｍは応答信号を受信または送信するまでに必要なサブフレーム数）前のサブフレームから応答信号を受信するもしくは送信するサブフレームまでを送信タイミングとしてもよい。このようにすることで、トリガー信号の送信時間を低減できるため、非ＬＴＥ基地局３０と非ＬＴＥ端末４０は可能なかぎり多くの時間において通信が実行できるようになる。
【００３７】
（ＬＴＥ端末の構成例）
図３は、図１のＬＴＥ端末２０の構成例を示す図である。ＬＴＥ端末２０は、通信部２２と、制御部２４と、記憶部２６と、ユーザインタフェース（ユーザＩＦ）２８とを備える。
【００３８】
通信部２２は、ＬＴＥ基地局１０によって割り当てられた無線リソースを利用して、ＬＴＥ基地局１０との間で、ＬＴＥベースの無線通信を行う。下りリンクの通信の場合は、通信部２２は、ＬＴＥ基地局１０から所定の信号を受信し、一定期間経過後にデータ送信に対する応答信号をＬＴＥ基地局１０に送信する。また、通信部２２は、応答信号を送信するまでの期間のいずれかにおいて、トリガー信号を送信してもよい。
【００３９】
なお、通信部２２は、図示しない送信部と受信部を備えてもよく、送信部は送信に関する処理を実行し、受信部は受信に関する処理を実行してもよい。
【００４０】
上りリンクの通信の場合は、通信部２２は、ＬＴＥ基地局１０に対して所定の信号を送信し、送信した信号に対する応答信号をＬＴＥ基地局１０から受信する。このとき、通信部２２は、応答信号を受信するまでの所定の期間の少なくとも一部の期間において、非ＬＴＥネットワークにおける無線通信の実行を一時停止させるためのトリガー信号を送信する。なお、通信部２２は、図示しない送信部と受信部を備えてもよく、送信部は送信に関する処理を実行し、受信部は受信に関する処理を実行してもよい。
【００４１】
なお、上記トリガー信号として、通信部２２は、ダミーパケットや無変調波を送信することができる。その他にも、トリガー信号として、ＬＴＥ基地局１０へ上記送信した信号を繰り返し送信してもよい。
【００４２】
なお、下りリンク、上りリンク、ＦＤＤ、ＴＤＤの別によらず、通信部１２は、相手方の通信装置から受信したトリガー信号については無視してもよい。受信したトリガー信号が、すでに送信された信号の繰り返しである場合、その繰り返しを利用して受信エネルギーを増大させるための合成処理を行い、より高精度の復調処理を行ってもよい。
【００４３】
記憶部２６は、ＬＴＥ基地局１０から送信されたデータを記憶し、また、ＬＴＥ基地局１０に対して送信すべき、ユーザＩＦ２８を通じて得たデータを記憶してもよい。ユーザＩＦ２８は、画面インタフェースと、操作ボタンやタッチパネルなどのユーザからの入力を受け付ける入力インタフェースと、カメラなどの画像撮像手段を含んでもよい。
【００４４】
制御部２４は、例えば、ＣＰＵにより構成され、通信部２２から受信された情報、または記憶部２６に記憶された情報を用いて、各部を統括的に制御する。制御部２４は、通信開始時などにＬＴＥ通信に使用すべき無線リソースを要求する無線リソースの割当要求をＬＴＥ基地局１０に送信する。制御部２４は、ＬＴＥ基地局１０からＬＴＥ通信に使用すべき無線リソース情報を含む制御メッセージを受信すると、割り当てられた無線リソースを用いて、通信部２２によって相手方との間でＬＴＥ通信を実行する。また、制御部２４は、通信部２２で送信する信号の送信電力や送信方向を制御することができる。
【００４５】
また、制御部２４は、ＬＴＥ基地局１０との間において、ＬＴＥ基地局１０とＬＴＥ端末２０のどちらがトリガー信号を送信すべきかをネゴシエートし、その結果に応じて、通信部１２に対してトリガー信号の送信処理を制御してもよい。また、制御部２４は、トリガー信号の電力を制御してもよい。たとえば、非ＬＴＥ基地局３０と非ＬＴＥ端末４０がＬＢＴ方式を実施すべき上で検知可能な程度にトリガー信号の電力を制限してもよい。トリガー信号の電力を制限することにより、システム全体の干渉量を低減し、システム容量を増大することができる。また、制御部２４は、トリガー信号の送信タイミングを制御してもよい。たとえば、応答信号を受信するもしくは送信するタイミングのＮ個（Ｎは１以上Ｍ以下。Ｍは応答信号を受信または送信するまでに必要なサブフレーム数）前のサブフレームから応答信号を受信するもしくは送信するサブフレームまでを送信タイミングとしてもよい。このようにすることで、トリガー信号の送信時間を低減できるため、非ＬＴＥ基地局３０と非ＬＴＥ端末４０は可能なかぎり多くの時間において通信が実行できるようになる。
【００４６】
次に、このように構成された無線通信システムの動作について、以下の各実施例に従って説明する。なお、各実施例において、既出の構成、動作については、同じ符号を用いることによってその説明を簡略化する。以下、本明細書において同様である。
【００４７】
（実施例１）
実施例１では、ＦＤＤ方式によるＬＴＥベースのＬＴＥネットワークと、周囲の通信状況に応じて無線通信を実行する非ＬＴＥネットワークとが混在する無線環境において、ＬＴＥネットワークにおいて無線通信を実行する手法について説明する。
【００４８】
図４は、実施例１にかかる無線通信システムの動作例を示す図である。ここでは、下りリンク通信と上りリンク通信とで異なる周波数帯を使うＦＤＤシステムにおいて、下りリンク通信を想定する。ＬＴＥ基地局１０は、ＬＴＥ端末２０宛てのデータを含む信号を送信する（ステップ１）。そして、ＬＴＥ基地局１０からＬＴＥ端末２０へのデータ送信から、このＬＴＥ基地局１０がＬＴＥ端末２０から応答信号を受信する（ステップ３）までの期間に、周囲の非ＬＴＥ通信を一時停止させるために、ＬＴＥ基地局１０がトリガー信号を送信し続ける（ステップ２）。なお、ステップ２においてトリガー信号を送信する期間は、応答信号の送受信タイミング（データを受信したサブフレームから４サブフレーム後）に非ＬＴＥ通信の実行を停止できればよく、図４に示した電波の送信期間のうちの一部の期間（例えば、データを受信したサブフレームの次のサブフレームから２サブフレームの期間）であってもよい。
【００４９】
また、トリガー信号としては、例えば、以下のような信号を利用することができる。
（１）ＬＴＥ基地局１０がダミーパケットを送信する。
（２）ＬＴＥ基地局１０が無変調波を送信する。無変調波を送信することで変調処理が不要になるため送信にかかる処理を簡素化できるという利点がある。
（３）ＬＴＥ基地局１０が相手方の端末宛に上記送信した信号を繰り返し送信する。受信した信号を重畳することでゲインを稼ぐことが可能になる。
（４）ＬＴＥ基地局１０が相手方の端末宛に上記送信した信号とは異なる信号を送信する。例えば、相手方の端末宛に送信すべき続きのデータパケットを送信する。
（５）ＬＴＥ基地局１０が相手方の端末以外の少なくとも１以上の端末宛の信号を送信する。例えば、相手方の端末以外の端末宛に送信すべきデータパケットを送信する。
【００５０】
上りリンク通信を想定した場合は、ＬＴＥ端末２０からＬＴＥ基地局１０へのデータ送信（ステップ１）から、ＬＴＥ端末２０がＬＴＥ基地局１０から応答信号を受信する（ステップ３）までの期間に、周囲の非ＬＴＥ通信を一時停止させるために、ＬＴＥ端末２０がトリガー信号を送信し続ける（ステップ２）。なお、トリガー信号を送信する期間は、応答信号の送受信タイミングに非ＬＴＥ通信の実行を停止できればよく、上記期間のうちの一部の期間であってもよい。ここで、ＬＴＥ端末２０が送信するトリガー信号は、上記（１）〜（４）と同様に、ダミーパケット、無変調波、または送信した信号と同じ信号としてもよいし、ＬＴＥ基地局１０宛に送信した信号に含まれるデータとは異なるデータを含む信号としてもよい。
【００５１】
以上述べたように、実施例１によれば、ＬＴＥ通信と非ＬＴＥ通信が同一周波数帯で実施される場合に、ＦＤＤ方式によるＬＴＥ通信を行うＬＴＥ基地局またはＬＴＥ端末が、周囲の非ＬＴＥ信号の干渉を受けることなく、応答信号を正確に受信することが可能となる。
【００５２】
（実施例２）
実施例２では、ＴＤＤ方式によるＬＴＥベースのＬＴＥネットワークと、周囲の通信状況に応じて無線通信を実行する非ＬＴＥネットワークとが混在する無線環境において、ＬＴＥネットワークにおいて無線通信を実行する手法について説明する。
【００５３】
図５は、ＴＤＤシステムにおけるＬＴＥのサブフレームの構成例を示す図である。下りリンク通信と上りリンク通信とで同一の周波数帯を使うＴＤＤシステムにおいて、図５のようなサブフレーム構成を想定した場合、下りリンク通信はサブフレーム＃０，１，３，４，５，６，８，９で実施され、上りリンク通信はサブフレーム＃１，２，６，７で実施される。下りリンク通信に対する応答信号はサブフレーム＃２，７で送信され（ステップ１）、上りリンク通信に対する応答信号はサブフレーム＃０，１，３，４，５，６，８，９で送信される（ステップ３）。
【００５４】
図６に示すように、例えば、サブフレーム＃０において、ＬＴＥ基地局１０からＬＴＥ端末２０への下りリンクデータ送信を行った場合、ＬＴＥ基地局１０がＬＴＥ端末２０から応答信号を受信するのは、ＬＴＥの規格に従って、サブフレーム＃７となる。ここで、応答信号を受信するまでの期間に周囲の非ＬＴＥ通信を一時停止させるために、その期間のサブフレーム＃１，３，４，５，６においてはＬＴＥ基地局１０がトリガー信号を送信し、サブフレーム＃２においてはＬＴＥ端末２０が、トリガー信号を送信し続ける（ステップ２）。なお、トリガー信号を送信する期間は、応答信号の送受信タイミングに非ＬＴＥ通信の実行を停止できればよく、上記期間のうちの一部の期間であってもよい。
【００５５】
ここで、ＬＴＥ基地局１０が送信するトリガー信号は、実施例１と同様に、上記（１）〜（５）のように、ダミーパケット、無変調波、または送信した信号と同じ信号としてもよいし、ＬＴＥ端末２０宛に送信した信号に含まれるデータとは異なるデータを含む信号としてもよい。また、相手方の端末以外の少なくとも１以上の端末宛の信号とすることもできる。ＬＴＥ端末２０が送信するトリガー信号は、上記（１）〜（４）と同様に、ダミーパケット、無変調波、または送信した信号と同じ信号としてもよいし、ＬＴＥ基地局１０宛に送信した信号に含まれるデータとは異なるデータを含む信号としてもよい。
【００５６】
以上述べたように、実施例２によれば、ＬＴＥ通信と非ＬＴＥ通信が同一周波数帯で実施される場合に、ＴＤＤ方式によるＬＴＥ通信を行うＬＴＥ基地局またはＬＴＥ端末が、周囲の非ＬＴＥ信号の干渉を受けることなく、応答信号を正確に受信することが可能となる。
【００５７】
（変形例）
変形例として、実施例１および実施例２において、ＬＴＥ基地局１０またはＬＴＥ端末２０がトリガー信号を送信する際の電波の送信電力や送信方向を、非ＬＴＥ通信のセルエリアに応じて制御するようにしてもよい。たとえば、ＬＴＥ基地局１０がマクロセル基地局であり、非ＬＴＥ基地局３０がスモールセル基地局のようなシステムにおいては、トリガー信号を送信する際に非ＬＴＥ通信のセルエリアに電波が届く程度に送信電力を下げることが可能になる。また、トリガー信号の送信処理は、特定の装置に向けた信号でなく、オムニ送信やブロードキャスティングにより実行されてもよい。
【００５８】
以上、本発明を実施例をもとに説明した。本発明は上述した実施例並びに各実施例の内容に限定されるものではなく、本発明の要旨の範囲内において種々に変形して実施をすることが可能である。上記実施例は例示であり、各実施例を組み合わせるなどして、それらの各構成要素や各処理プロセスの組み合わせにいろいろな変形例が可能なこと、またそうした変形例も本発明の範囲にあることは当業者に理解されるところである。
【符号の説明】
【００５９】
１００…無線通信システム、１０…ＬＴＥ基地局、１２…通信部、１４…制御部、１６…記憶部、２０…ＬＴＥ端末、２２…通信部、２４…制御部、２６…記憶部、２８…ユーザＩＦ、３０…非ＬＴＥ基地局、４０…非ＬＴＥ端末。
【図１】
2016127409.tif 000003
【図２】
2016127409.tif 000004
【図３】
2016127409.tif 000005
【図４】
2016127409.tif 000006
【図５】
2016127409.tif 000007
【図６】
2016127409.tif 000008
【図７】
2016127409.tif 000009
【図８】
2016127409.tif 000010